(57)【要約】【課題】ユーザが撮影と同時に集音した音声、あるいは撮影の機会とは無関係に録音した任意の音声を、静止画像あるいはプリントする画像と関連づける。【解決手段】所望の静止画像が表示された状態で関連づけボタン１２８が押下されると、静止画像とともに、メモリカード２００に記憶された音声ファイル／動画ファイルのファイル名の一覧ＬをＬＣＤ１０２に表示し、十字キー１２４と情報位置指定キー１２６の押下によって、静止画像データと関連づけたい音声ファイル／動画ファイルのファイル名を一覧Ｌの中から選択させる。十字キー１２４によって関連づけたい音声ファイル／動画ファイルにカーソルが合わされた状態で、情報位置指定キー１２６が押下されると、ＣＰＵ２０は、カーソルの合わされた音声ファイル／動画ファイルとＬＣＤ１０２に表示されている静止画像データとを関連づける関連づけデータを作成する。【選択図】  図７
2007074266.tif 000002
【特許請求の範囲】
【請求項１】
撮像レンズを介して受光した被写体光に基づいて画像信号を出力する撮像部と、前記撮像部の出力した画像信号に基づいて静止画像を記憶する画像記憶部と、音声又は動画像を含むコンテンツを記憶するコンテンツ記憶部と、手動の入力操作を受け付ける操作部とを備える撮像装置であって、
関連づけるべき静止画像及びコンテンツを自動で選択する第１のモード又は関連づけるべき静止画像及びコンテンツを前記操作部への入力操作によって自在に選択できる第２のモードの指定を受け付けるモード指定部と、
前記モード指定部が第１のモードの指定を受け付けた場合、所定の規則に基づいて関連づけるべき静止画像及びコンテンツを選択し、前記モード選択部が第２のモードの指定を受け付けた場合、関連づけるべき静止画像及びコンテンツを前記操作部への入力操作に従って選択するコンテンツ選択部と、
前記コンテンツ選択部によって選択された静止画像とコンテンツを関連づける情報である関連づけ情報を作成する関連づけ情報作成部と、
を備える撮像装置。
【請求項２】
前記コンテンツ選択部は、前記第１のモードが指定された場合、前記静止画像が記憶された日時及び前記コンテンツが記憶された日時の近接性に基づいて関連づけるべき静止画像及びコンテンツを選択する請求項１に記載の撮像装置。
【請求項３】
前記コンテンツ選択部は、前記第２のモードが指定された場合、前記操作部への入力操作に従って前記画像記憶部に記憶された静止画像を順次表示するとともに、表示された静止画像と関連づけるべきコンテンツを前記コンテンツ記憶部で特定する情報であるコンテンツ特定情報を一覧表示する表示部をさらに備える請求項１に記載の撮像装置。
【請求項４】
前記コンテンツ選択部は、前記操作部への入力操作に従って選択されたコンテンツ特定情報で特定されるコンテンツを、前記表示された静止画像と関連づけるべきコンテンツとして選択する請求項３に記載の撮像装置。
【請求項５】
前記関連づけ情報は前記コンテンツ記憶部又は外部のコンテンツサーバにおける前記コンテンツの保存場所を特定する情報を含む請求項１〜４のいずれかに記載の撮像装置。
【請求項６】
前記関連づけ情報を埋め込んだ二次元コードを作成するコード作成部をさらに備える請求項５に記載の撮像装置。
【請求項７】
前記二次元コードから前記関連づけ情報を読み取る読取部と、
前記読取部の読み取った関連づけ情報に含まれるコンテンツの保存場所を特定する情報で特定されるコンテンツを前記コンテンツ記憶部又は外部のコンテンツサーバから読み出して表示又は拡声することにより再生する再生部と、
をさらに備える請求項６に記載の撮像装置。
【請求項８】
前記関連づけ情報は前記画像記憶部における前記静止画像の保存場所を特定する情報を含み、
前記表示部は前記関連づけ情報に含まれる静止画像の保存場所を特定する情報で特定される静止画像を前記再生部による前記コンテンツの再生と同期して表示する請求項７に記載の撮像装置。
【請求項９】
静止画像とコンテンツを関連づける情報である関連づけ情報を埋め込んだ二次元コードと、前記二次元コードに埋め込まれた関連づけ情報によりコンテンツと関連づけられた静止画像と、をプリントするプリントデータを作成し、前記プリントデータに基づいて前記二次元コードと前記静止画像とを所定の印刷媒体にプリントするプリントシステム。
【請求項１０】
静止画像とコンテンツを関連づける情報である関連づけ情報に含まれるコンテンツの保存場所に前記コンテンツを保存し、所定の印刷媒体にプリントされた二次元コードに埋め込まれた前記関連づけ情報に基づいてアクセスしてきた通信端末に前記コンテンツを送信するコンテンツサーバ。
【発明の詳細な説明】
【技術分野】
【０００１】
本発明は静止画像と各種コンテンツの関連づけ、およびプリントされた静止画像と関連づけられた各種コンテンツを提供する技術に関する。
【背景技術】
【０００２】
近年、音声情報の付加されたプリントを提供する技術が様々開発されている。例えば特許文献１では、画像データのノイズ成分を多く含むビットに画像データとは異なる音声データを埋め込み、音声データが埋め込まれた画像データに基づいて画像を印画紙に記録してプリントを作成する。作成されたプリントは、撮像デバイスで撮影することによって音声データを読み出すことができる。
【０００３】
特許文献２では、カメラ付き携帯電話からアップロードされた画像及びその画像に付加された音声情報等の付加情報をサービスサーバのデータベースで管理する。そして、付加情報にアクセスするためのＵＲＬを発行し、このＵＲＬをＱＲコードに変換する。画像を含むオーダ情報とＱＲコードとをプリント装置に送信してプリント用紙に画像とともにＱＲコードを印刷した写真プリントを作成する。写真プリント上のＱＲコードをカメラ付き携帯電話で読み取り、該ＱＲコードを解読して得たＵＲＬでアクセスが行われると、そのＵＲＬに対応して管理されている画像の付加情報をデータベースから読み出してアクセスしたカメラ付き携帯電話に送信する。
【特許文献１】特開２００３−３２４６８２号公報
【特許文献２】特開２００５−１０８２００号公報
【発明の開示】
【発明が解決しようとする課題】
【０００４】
特許文献１の技術では、画像中に音声データを埋め込むため、データ容量の点で問題がある。また、特許文献２の技術では、画像と音声のファイル名の一部を共通にすることで自動的に関連づけを行うため、どの画像をどの音声を関連づけるかを決める作業が省ける反面、ある画像の撮影の場で入力したコメント音声を単純にその画像と関連づけることが適切でない場合もある。
【０００５】
本発明はこのような問題点に鑑みてなされたもので、ユーザが撮影と同時に集音した音声、あるいは撮影の機会とは無関係に録音した任意の音声を、静止画像あるいはプリントする画像と関連づける技術を提供することを目的とする。
【課題を解決するための手段】
【０００６】
上述の課題を解決するため、本発明に係る撮像装置は、撮像レンズを介して受光した被写体光に基づいて画像信号を出力する撮像部と、撮像部の出力した画像信号に基づいて静止画像を記憶する画像記憶部と、音声又は動画像を含むコンテンツを記憶するコンテンツ記憶部と、手動の入力操作を受け付ける操作部とを備え、かつ、関連づけるべき静止画像及びコンテンツを自動で選択する第１のモード又は関連づけるべき静止画像及びコンテンツを操作部への入力操作によって自在に選択できる第２のモードの指定を受け付けるモード指定部と、モード指定部が第１のモードの指定を受け付けた場合、所定の規則に基づいて関連づけるべき静止画像及びコンテンツを選択し、モード選択部が第２のモードの指定を受け付けた場合、関連づけるべき静止画像及びコンテンツを操作部への入力操作に従って選択するコンテンツ選択部と、コンテンツ選択部によって選択された静止画像とコンテンツを関連づける情報である関連づけ情報を作成する関連づけ情報作成部と、を備える。
【０００７】
この発明によると、ユーザが第１のモードを選択すると、所定の規則に従って静止画像とコンテンツ（少なくとも動画又は音声のいずれか一方を含む）とが関連づけられる。ユーザが第２のモードを選択すると、ユーザは、自分で自由に関連づけたい静止画像とコンテンツを選択できる。このように、本発明では、ユーザが第１のモード又は第２のモードを自由に選択して、静止画像とコンテンツの関連づけの方法を、自動又は手動のいずれにもすることができる。
【０００８】
コンテンツ選択部は、第１のモードが指定された場合、静止画像が記憶された日時及びコンテンツが記憶された日時の近接性に基づいて関連づけるべき静止画像及びコンテンツを選択するようにしてもよい。
【０００９】
コンテンツ選択部は、第２のモードが指定された場合、操作部への入力操作に従って画像記憶部に記憶された静止画像を順次表示するとともに、表示された静止画像と関連づけるべきコンテンツをコンテンツ記憶部で特定する情報であるコンテンツ特定情報を一覧表示する表示部をさらに備えてもよい。
【００１０】
コンテンツ特定情報は、ファイル名やファイル保存場所などであり、パスやＵＲＬで記述できる。
【００１１】
コンテンツ選択部は、操作部への入力操作に従って選択されたコンテンツ特定情報で特定されるコンテンツを、表示された静止画像と関連づけるべきコンテンツとして選択するようにしてもよい。
【００１２】
こうすると、コンテンツ特定情報の一覧の中から、所望のコンテンツ特定情報を選択することで、静止画像と関連づけるべきコンテンツを容易に選択することができ、便利である。
【００１３】
好ましくは、関連づけ情報はコンテンツ記憶部又は外部のコンテンツサーバにおけるコンテンツの保存場所を特定する情報を含む。
【００１４】
こうすると、コンテンツが外部のサーバに保存されている場合でも、二次元コードに基づいてアクセスできる。
【００１５】
この撮像装置は、関連づけ情報を埋め込んだ二次元コードを作成するコード作成部をさらに備えてもよい。
【００１６】
この撮像装置は、二次元コードから関連づけ情報を読み取る読取部と、読取部の読み取った関連づけ情報に含まれるコンテンツの保存場所を特定する情報で特定されるコンテンツをコンテンツ記憶部又は外部のコンテンツサーバから読み出して表示又は拡声することにより再生する再生部と、をさらに備えていてもよい。
【００１７】
関連づけ情報は画像記憶部における静止画像の保存場所を特定する情報を含み、表示部は関連づけ情報に含まれる静止画像の保存場所を特定する情報で特定される静止画像を再生部によるコンテンツの再生と同期して表示してもよい。
【００１８】
本発明に係るプリントシステムは、静止画像とコンテンツを関連づける情報である関連づけ情報を埋め込んだ二次元コードと、二次元コードに埋め込まれた関連づけ情報によりコンテンツと関連づけられた静止画像と、をプリントするプリントデータを作成し、プリントデータに基づいて二次元コードと静止画像とを所定の印刷媒体にプリントする。
【００１９】
また、本発明に係るコンテンツサーバは、静止画像とコンテンツを関連づける情報である関連づけ情報に含まれるコンテンツの保存場所にコンテンツを保存し、所定の印刷媒体にプリントされた二次元コードに埋め込まれた関連づけ情報に基づいてアクセスしてきた通信端末にコンテンツを送信する。
【００２０】
すなわち、静止画像に関連づけられたコンテンツの保存場所を特定する情報を埋め込んだ二次元コードを所定の印刷媒体にプリントし、この印刷媒体を配布すれば、二次元コード読み取り装置を備えた通信端末によってコンテンツサーバにアクセスし、静止画像と関連づけられたコンテンツを入手することができる。これにより、印刷媒体にプリントされた静止画像を鑑賞しながら、その静止画像と関連づけられたコンテンツを鑑賞することが可能となる。
【発明の効果】
【００２１】
この発明によると、ユーザが第１のモードを選択すると、所定の規則に従って静止画像とコンテンツとが関連づけられる。ユーザが第２のモードを選択すると、ユーザは、自分で自由に関連づけたい静止画像とコンテンツを選択できる。このように、本発明では、ユーザが第１のモード又は第２のモードを自由に選択して、静止画像とコンテンツの関連づけの方法を、自動又は手動のいずれにもすることができる。
【発明を実施するための最良の形態】
【００２２】
以下、添付した図面を参照し本発明の好ましい実施の形態を説明する。
【００２３】
図１は、本発明の好ましい実施形態に係るデジタルカメラ（以下カメラと略す）１００の正面図である。
【００２４】
カメラ１００の正面に配備されたレンズ鏡胴６０には、ズームレンズ１０１ａ及びフォーカスレンズ１０１ｂを含む撮影レンズ１０１が内蔵されており、ズームレンズ１０１ａを光軸方向に移動させることで焦点距離調節が行なわれるとともに、フォーカスレンズ１０１ｂを光軸方向に移動させることによりピント調節が行なわれる。
【００２５】
レンズ鏡筒６０は、カメラボディ１８０に沈胴した状態から、予め設定された最短焦点距離位置であるワイド端と最長焦点距離位置であるテレ端との間で進退することで、カメラボディ１８０から繰り出し、また収納される。この図では、レンズ鏡胴６０がカメラボディ１８０に沈胴した状態が示されている。
【００２６】
またカメラ１００には、非撮影時には撮影レンズ１０１の前面を覆って撮影レンズ１０１と外界とを遮ることで撮影レンズ１０１を保護する状態をつくり出すとともに、撮像時には撮影レンズを外界に露出するレンズカバー６１が設けられている。
【００２７】
レンズカバー６１は開閉自在な機構で構成されており、開放状態で撮影レンズ１０１の前面を覆い、閉鎖状態で撮影レンズ１０１の前面を外界に露出する。レンズカバー６１は電源スイッチ１２１のオン／オフに連動して開放／閉鎖される。この図ではレンズカバー６１は開放状態となっている。
【００２８】
カメラ１００の上面には、中央部分にレリーズスイッチ１０４の配備されたモードダイヤル１２３と電源スイッチ１２１とが配備されており、正面には、ストロボ１０５ａ、ＡＦ補助光ランプ１０５ｂ、セルフタイマランプ１０５ｃ等が配備されている。
【００２９】
図２はカメラ１００の背面図である。カメラ１００の背面には、「撮影」・「自動関連づけ撮影」・「再生」を自在に切り替える切替レバー１２２も設けられている。カメラ１００の背面には、関連づけボタン１２８が設けられている。後述するが、関連づけボタンは、切替レバー１２２の「再生」の設定時、所望の画像と所望の音声もしくは動画あるいはその両方との関連づけを指定するボタンである。
【００３０】
カメラ１００の背面には、画像表示ＬＣＤ１０２、十字キー１２４、情報位置指定キー１２６等も設けられている。十字キー１２４は、上下左右がそれぞれ表示明るさ調整／セルフタイマ／マクロ撮影／ストロボ撮影を設定する操作系である。後述するが、十字キー１２４の下キーを押下することで、セルフタイマ回路８３の計時完了後にメインＣＰＵ２０がＣＣＤ１３２にシャッタ動作を行わせるセルフ撮影モードの設定を行える。
【００３１】
カメラ１００の背面には、ズームスイッチ１２７が配備されている。ズームスイッチ１２７のワイド（Ｗ）側を押すと、押し続けている間、レンズ鏡胴６０がワイド端（望遠）側に繰り出し、テレ（Ｔ）側の他方を押すと、押し続けている間、レンズ鏡胴６０がテレ端（広角）側に移動する。
【００３２】
図３はカメラ１００のブロック図である。カメラ１００にはユーザがこのカメラ１００を使用するときに種々の操作を行なうための操作部１２０が設けられている。この操作部１２０には、カメラ１００を作動させるための電源投入用の電源スイッチ１２１、「撮影」・「自動関連づけ撮影」・「再生」を自在に切り替える切替レバー１２２、オート撮影やマニュアル撮影等を選択するためのモードダイヤル１２３、各種のメニューの設定や選択あるいはズームを行なうための十字キー１２４、閃光発光用スイッチ１２５、および十字キー１２４で選択されたメニューの実行やキャンセル等を行なうための情報位置指定キー１２６が備えられている。
【００３３】
また、カメラ１００には、撮影画像や再生画像等を表示するための画像表示ＬＣＤ１０２と、操作の手助けを行なうための操作ＬＣＤ表示１０３が備えられている。
【００３４】
このカメラ１００にはレリーズスイッチ１０４が配備されている。このレリーズスイッチ１０４によって撮影の開始指示がメインＣＰＵ２０へと伝えられる。このカメラ１００では切替レバー１２２によって「撮影」や「再生」などの切り替えが自在になっていて、撮影を行なうときにはユーザによって切替レバー１２２が撮影側に切り替えられ、再生を行なうときには切替レバー１２２が再生側に切り替えられる。また、カメラ１００には、閃光を発光する閃光発光管１０５ａを有する閃光発光装置が配備されている。
【００３５】
また、カメラ１００には、撮影レンズ１０１と、絞り１３１と、それら撮影レンズ１０１および絞り１３１を経由して結像された被写体像をアナログの画像信号に変換する撮像素子であるＣＣＤセンサ１３２（以下ＣＣＤ１３２と略記する）とが備えられている。ＣＣＤ１３２は、詳細には、そのＣＣＤ１３２に照射された被写体光により発生した電荷を可変の電荷蓄積時間（露光期間）の間蓄積することにより画像信号を生成するものである。ＣＣＤ１３２からは、ＣＧ部１３６から出力される垂直同期信号ＶＤに同期したタイミングでフレーム毎の画像信号が順次出力される。
【００３６】
撮像素子にＣＣＤ１３２を用いた場合には、色偽信号やモアレ縞等の発生を防止するために、入射光内の不要な高周波成分を除去する光学的ローパスフィルタ１３２ａが配設されている。また、入射光内の赤外線を吸収若しくは反射して、長波長域で感度が高いＣＣＤセンサ１３２固有の感度特性を補正する赤外カットフィルタ１３２ｂが配設されている。光学的ローパスフィルタ１３２ａ及び赤外カットフィルタ１３２ｂの具体的な配設の態様は特に限定されない。
【００３７】
また、カメラ１００には、ＣＣＤセンサ１３２からのアナログ画像信号が表わす被写体像のホワイトバランスを合わせるとともにその被写体像の階調特性における直線の傾き（γ）を調整し、さらにアナログ画像信号を増幅する増幅率可変の増幅器を含む白バランス・γ処理部１３３が備えられている。
【００３８】
さらに、カメラ１００には、白バランス・γ処理部１３３からのアナログ信号をディジタルのＲ，Ｇ，Ｂ画像データにＡ／Ｄ変換するＡ／Ｄ部１３４と、そのＡ／Ｄ部１３４からのＲ，Ｇ，Ｂ画像データを格納するバッファメモリ１３５が備えられている。
【００３９】
本実施形態では、Ａ／Ｄ部１３４は、８ビットの量子化分解能を有し、白バランス・γ処理部１３３から出力されるアナログＲ，Ｇ，Ｂ撮像信号をレベル０〜２５５のＲ，Ｇ，Ｂデジタル画像データに変換して出力する。ただし、この量子化分解能はあくまで一例であって本発明に必須の値ではない。
【００４０】
また、カメラ１００には、ＣＧ（クロックジェネレータ）部１３６と、測光・測距用ＣＰＵ１３７と、充電・発光制御部１３８と、通信制御部１３９と、ＹＣ処理部１４０と、電源電池６８とが備えられている。
【００４１】
ＣＧ部１３６は、ＣＣＤセンサ１３２を駆動するための垂直同期信号ＶＤ，高速掃き出しパルスＰを含む駆動信号、白バランス・γ処理部１３３，Ａ／Ｄ部１３４を制御する制御信号、および通信制御部１３９を制御する制御信号を出力する。また、このＣＧ部１３６には、測光・測距用ＣＰＵ１３７からの制御信号が入力される。
【００４２】
測光・測距用ＣＰＵ１３７は、ズーム用モータ１１０、フォーカス用モータ１１１、絞り調整を行う絞り用モータ１１２を制御してズームレンズ１０１ａ、フォーカスレンズ１０１ｂ、絞り１３１をそれぞれ駆動することにより測距を行ない、ＣＧ部１３６および充電・発光制御部１３８を制御する。ズーム用モータ１１０、フォーカス用モータ１１１、絞り用モータ１１２の駆動は、モータドライバ６２によって制御され、モータドライバ６２の制御コマンドは、測光・測距用ＣＰＵ１３７あるいはメインＣＰＵ２０から送られる。
【００４３】
測光・測距用ＣＰＵ１３７は、レリーズスイッチ１０４が半押し（Ｓ１オン）されると、ＣＣＤ１３２によって周期的（１／30秒から１／60秒ごと）に得られる画像データに基づいて被写体の明るさの測光（ＥＶ値の算出）を行う。
【００４４】
即ち、ＡＥ演算部１５１は、Ａ／Ｄ変換部１３４から出力されたＲ、Ｇ、Ｂの画像信号を積算し、その積算値を測光・測距用ＣＰＵ１３７に提供する。測光・測距用ＣＰＵ１３７は、ＡＥ演算部１５１から入力する積算値に基づいて被写体の平均的な明るさ（被写体輝度）を検出し、撮影に適した露出値（ＥＶ値）を算出する。
【００４５】
そして、測光・測距用ＣＰＵ１３７は、得られたＥＶ値に基づいて絞り１３１の絞り値（Ｆ値）及びＣＣＤ１３２の電子シャッタ（シャッタスピード）を含む露出値を所定のプログラム線図にしたがって決定する（ＡＥ動作）。
【００４６】
レリーズスイッチ１０４が全押し（Ｓ２オン）されると、測光・測距用ＣＰＵ１３７は、その決定した絞り値に基づいて絞り１３１を駆動し、絞り１３１の開口径を制御するとともに、決定したシャッタスピードに基づき、ＣＧ１３６を介してＣＣＤ１３２での電荷蓄積時間を制御する。
【００４７】
ＡＥ動作は、絞り優先ＡＥ，シャッタ速度優先ＡＥ，プログラムＡＥなどがあるが、いずれにおいても、被写体輝度を測定し、この被写体輝度の測光値に基づいて決められた露出値、すなわち絞り値とシャッタスピードとの組み合わせで撮影を行うことにより、適正な露光量で撮像されるように制御しており、面倒な露出決定の手間を省くことができる。
【００４８】
ＡＦ検出部１５０は、測光・測距ＣＰＵ１３７により選定された検出範囲に対応する画像データをＡ／Ｄ変換部１３４から抽出する。焦点位置を検出する方法は、合焦位置で画像データの高周波成分が最大振幅になるという特徴を利用して行う。ＡＦ検出部１５０は、抽出された画像データの高周波成分を１フィールド期間積分することにより、振幅値を算出する。ＡＦ検出部１５０は、測光・測距ＣＰＵ１３７がフォーカス用モータ１１１を駆動制御してフォーカスレンズ１０１ｂを可動範囲内、即ち無限遠側の端点（ＩＮＦ点）から至近側の端点（ＮＥＡＲ点）の間で移動させている間に順次振幅値の計算を実行し、最大振幅を検出した時に検出値を測光・測距ＣＰＵ１３７に送信する。
【００４９】
測光・測距ＣＰＵ１３７は、この検出値を取得して対応する合焦位置に、フォーカスレンズ１０１ｂを移動させるようにフォーカス用モータ１１１に指令を出す。フォーカス用モータ１１１は、測光・測距ＣＰＵ１３７の指令に応じてフォーカスレンズ１０１ｂを合焦位置に移動させる（ＡＦ動作）。
【００５０】
測光・測距用ＣＰＵ１３７は、メインＣＰＵ２０とのＣＰＵ間通信によってレリーズスイッチ１０４と接続されており、ユーザによりレリーズスイッチ１０４が半押しされた時に、この合焦位置の検出が行われる。また、測光・測距用ＣＰＵ１３７には、ズーム用モータ１１０が接続されており、メインＣＰＵ２０が、ズームスイッチ１２７によってユーザからのＴＥＬＥ方向又はＷＩＤＥ方向へのズームの指令を取得した場合に、ズーム用モータ１１０を駆動させることにより、ズームレンズ１０１ａをＷＩＤＥ端とＴＥＬＥ端との間で移動させる。
【００５１】
充電・発光制御部１３８は，閃光発光管１０５ａを発光させるために電源電池６８からの電力の供給を受けて図示しない閃光発光用のコンデンサを充電したり、その閃光発光管１０５ａの発光を制御する。
【００５２】
充電・発光制御部１３８は，電源電池６８の充電開始、レリーズスイッチ１０４の半押し・全押し操作信号等の各種の信号や、発光量、発光タイミングを示す信号をメインＣＰＵ２０や測光・測距ＣＰＵ１３７から取り込んだことに応じ、セルフタイマランプ１０５ｃやＡＦ補助光ランプ１０５ｂへの電流供給制御を行い、所望の発光量が所望のタイミングで得られるように制御する。
【００５３】
具体的には、メインＣＰＵ２０あるいは測光・測距ＣＰＵ１３７から充電・発光制御部１３８へハイ（Ｈ）レベルの信号が入力されると、セルフタイマランプ１０５ｃは通電状態となり点灯する。一方、充電・発光制御部１３８へロー（Ｌ）レベルの信号が入力されると、セルフタイマランプ１０５ｃは非通電状態となり消灯する。
【００５４】
メインＣＰＵ２０あるいは測光・測距ＣＰＵ１３７は、Ｈ・Ｌレベル信号の出力時間の比率（デューティ比）を変化させて設定することでセルフタイマランプ１０５ｃの輝度（明るさ）を変化させる。
【００５５】
なお、セルフタイマランプ１０５ｃはＬＥＤで構成してもよく、ＡＦ補助光ランプ１０５ｂを構成するＬＥＤと共通にしてもよい。
【００５６】
メインＣＰＵ２０には、セルフタイマ回路８３が接続されている。メインＣＰＵ２０は、セルフ撮影モードが設定されている場合、レリーズスイッチ１０４の全押し信号に基づいて計時を行なう。この計時中に、メインＣＰＵ２０は測光・測距ＣＰＵ１３７を介し、残り時間に合わせて点滅速度をだんだんと早めながら、セルフタイマランプ１０５ｃを点滅させる。セルフタイマ回路８３は、計時完了後に計時完了信号をメインＣＰＵ２０に入力する。メインＣＰＵ２０は、計時完了信号に基づいて、ＣＣＤ１３２にシャッタ動作を実施させる。
【００５７】
通信制御部１３９には、通信ポート１０７が備えられており、この通信制御部１３９は、カメラ１００により撮影された被写体の画像信号をＵＳＢ端子が備えられたパーソナルコンピュータ等の外部装置に出力し、およびこのような外部装置からカメラ１００に画像信号を入力することにより、その外部装置との間のデータ通信を担うものである。また、このカメラ１００は、ロール状の写真フイルムに写真撮影を行なう通常のカメラが有するＩＳＯ感度１００，２００，４００，１６００等に切り替える機能を模擬した機能を有し、ＩＳＯ感度４００以上に切り替えられた場合、白バランス・γ処理部１３３の増幅器の増幅率が所定の増幅率を越えた高増幅率に設定された高感度モードとなる。通信制御部１３９は、高感度モードでの撮影中は、外部装置との通信を停止する。
【００５８】
また、カメラ１００には、圧縮・伸長＆ＩＤ抽出部１４３と、Ｉ／Ｆ部１４４が備えられている。圧縮・伸長＆ＩＤ抽出部１４３は、バッファメモリ１３５に格納された画像データを、バスライン１４２を介して読み出して圧縮し、Ｉ／Ｆ部１４４を経由してメモリカード２００に格納する。また、圧縮・伸長＆ＩＤ抽出部１４３は、メモリカード２００に格納された画像データの読み出しにあたり、メモリカード２００固有の識別番号（ＩＤ）を抽出し、そのメモリカード２００に格納された画像データを読み出して伸長し、バッファメモリ１３５に格納する。
【００５９】
バッファメモリ１３５に格納されたＹ／Ｃ信号は、圧縮・伸長＆ＩＤ抽出部１４３によって所定のフォーマットに従って圧縮された後、Ｉ／Ｆ１４４を介してメモリカード２００のようなリムーバブルメディアないしハードディスク（ＨＤＤ）７５のような内蔵型大容量記憶媒体に所定の形式（例えばExif（Exchangeable Image File Format）ファイル）で記録される。ハードディスク（ＨＤＤ）７５へのデータ記録またはハードディスク（ＨＤＤ）７５からのデータの読込みは、メインＣＰＵ２０の指令に応じてハードディスクコントローラ７４によって制御される。
【００６０】
また、カメラ１００には、メインＣＰＵ２０と、ＥＥＰＲＯＭ１４６と、ＹＣ／ＲＧＢ変換部１４７と、表示用のドライバ１４８とが備えられている。メインＣＰＵ２０は、このカメラ１００全体の制御を行なう。ＥＥＰＲＯＭ１４６には、このカメラ１００固有の固体データやプログラム等が格納されている。ＹＣ／ＲＧＢ変換部１４７は、ＹＣ処理部１４０で生成されたカラー映像信号ＹＣを３色のＲＧＢ信号に変換して表示用のドライバ１４８を経由して画像表示ＬＣＤ１０２に出力する。
【００６１】
また、カメラ１００は、ＡＣ電源から電力を得るためのＡＣアダプタ４８と電源電池６８とが着脱可能な構成となっている。電源電池６８は充電可能な二次電池、例えばニカド電池、ニッケル水素電池、リチウムイオン電池で構成される。電源電池６８は使い切り型の一次電池、例えばリチウム電池、アルカリ電池で構成してもよい。電源電池６８は図示しない電池収納室に装填することにより、カメラ１００の各回路と電気的に接続される。
【００６２】
ＡＣアダプタ４８がカメラ１００に装填されＡＣ電源からＡＣアダプタ４８を介してカメラ１００に電力が供給される場合には、電源電池６８が電池収納室に装填されている場合であっても、優先的に当該ＡＣアダプタ４８から出力された電力がカメラ１００の各部に駆動用の電力として供給される。また、ＡＣアダプタ４８が装填されておらず、かつ電源電池６８が電池収納室に装填されている場合には、当該電源電池６８から出力された電力がカメラ１００の各部に駆動用の電力として供給される。
【００６３】
なお、図示しないが、カメラ１００には、電池収納室内に収納される電源電池６８とは別にバックアップ電池が設けられている。内蔵バックアップ電池には例えば専用の二次電池が用いられ、電源電池６８によって充電される。バックアップ電池は、電源電池６８の交換や取り外し等、電源電池６８が電池収納室に装填されていない場合、カメラ１００の基本機能に給電する。
【００６４】
即ち、電源電池６８又はＡＣアダプタ４８からの電源供給が停止すると、バックアップ電池がスイッチング回路（図示せず）によってＲＴＣ１５等に接続され、これらの回路に給電する。これにより、バックアップ電池２９が寿命に達しない限り、ＲＴＣ１５等の基本機能には、電源供給が間断なく継続する。
【００６５】
ＲＴＣ（Real Time Clock）１５は計時専用のチップであり、電源電池６８やＡＣアダプタ４８からの給電がオフされていてもバックアップ電池から電源供給を受けて継続的に動作する。
【００６６】
画像表示ＬＣＤ１０２には透過型又は半透過型の液晶パネル７１を背面側から照明するバックライト７０が配設されており、省電力モードの場合には、メインＣＰＵ２０によりそのバックライト７０の明るさ（輝度）がバックライトドライバ７２を介して制御され、バックライト７０の消費電力が低減されるようになっている。また、省電力モードは、操作部１２０の情報位置指定キー１２６を押して画像表示ＬＣＤ１０２にメニュー画面を表示させ、そのメニュー画面で所定の操作を行うことによってオン／オフを設定することができるようになっている。
【００６７】
音声処理部３４は、マイク３８から受入した音声信号を所定形式の音声データ（ＭＰ３など）に変換する。この音声データはＲＡＭ１４９に記憶される。一方、ＲＡＭ１４９に記憶された音声データは、音声処理部３４によってアナログ音声信号に変換（Ｄ／Ａ変換）された後、スピーカ３７に送ることで拡声することもできる。
【００６８】
以下、図４および５のフローチャートに従い、カメラ１００の実行する関連づけ動作の流れを説明する。
【００６９】
図４は自動関連づけ動作の流れを示す。この動作は、記録日時の近接性に従って画像所と音声又は動画とを関連づける。
【００７０】
まず、切替レバー１２２によって「自動関連づけ撮影」が選択され、レリーズスイッチ１０４が全押しされると、ＣＣＤ１３２からの静止画像データの取得が開始する。この静止画像データはタイムスタンプ（記憶日時）が付されてバッファメモリ１３５に記憶される（Ｓ１）。
【００７１】
静止画像データの記憶が完了すると、引き続き音声データおよび／または動画像データの取得が開始する。音声データの取得はマイク３８と音声処理部３４、動画像データの取得はＣＣＤ１３２とＡ／Ｄ変換部１３４を介して行われる。音声データおよび／または動画像データの取得期間は任意であり、固定（例えば１０秒間）であってもよいし、ユーザがその取得の開始／終了を操作部１２０から任意に指定できるようにしてもよい。このステップで取得された音声データ／動画像データにはタイムスタンプ（記憶日時）が付されてメモリカード２００に記憶される。ただし、音声データ／動画像データは、パソコンや携帯電話などの各種電子機器によってメモリカード２００に記憶したものであってもよく、必ずしもカメラ１００自身がデータを作成して記憶したものに限定する必要はない。
【００７２】
静止画像データのバッファメモリ１３５への記憶、および音声データ／動画像データのメモリカード２００への記憶が完了すると、ＣＰＵ２０は、静止画像データと音声データ／動画像データのタイムスタンプを比較し、タイムスタンプで示される記憶日時が最も近接する静止画像データと音声データ／動画像データを関連づけるデータ（関連づけデータ）を作成する（Ｓ３）。
【００７３】
例えば図５に示すように、記憶日時の差が５秒以内の静止画像データと音声データとが関連づけられたとする。この場合、図６に示すように、関連づけデータは、静止画像データと音声データの識別情報（ＩＤ）を含む。ある静止画像データの記憶日時との記憶日時の誤差が所定期間（例えば５秒）の音声／動画像データが複数存在すれば、それらをグループ化し、静止画像データと１対多数の関連づけを行ってもよい。
【００７４】
関連づけデータの作成が完了すると、静止画像データと関連づけデータは、所定の形式（静止画像データはexif、関連づけデータはcsvなど）に圧縮変換されて、音声／動画像データとともにメモリカード２００に記憶される。
【００７５】
さらに、ＣＰＵ２０は、関連づけデータを埋め込んだ二次元コードを作成してメモリカード２００に記憶してもよい。
【００７６】
図７は手動関連づけ動作の流れを示す。この動作は、関連づけボタン１２８の押下に従って所望の画像ファイルと所望の音声ファイル又は動画ファイルを関連づける。
【００７７】
まず、切替レバー１２２によって「再生」が選択されると、ＣＰＵ２０は、バッファメモリ１３５（またはメモリカード２００も可。以下バッファメモリ１３５等と表記）に格納されている静止画像データを読み出し、ＬＣＤ１０２に静止画像を表示する。再生される静止画像は、十字キー１２４の左右ボタンの押下に応じて順方向／逆方向にコマ送りされて１画像ずつ順次表示される（Ｓ１１）。
【００７８】
所望の静止画像が表示された状態で関連づけボタン１２８が押下されると（Ｓ１２）、Ｓ１３の処理が開始する。すなわち、メモリカード２００に複数の音声ファイル／動画ファイルが格納されている場合は、静止画像とともに、メモリカード２００に記憶された音声ファイル／動画ファイルのファイル名の一覧ＬをＬＣＤ１０２に表示し（図８参照）、十字キー１２４と情報位置指定キー１２６の押下によって、静止画像データと関連づけたい音声ファイル／動画ファイルのファイル名を一覧Ｌの中から選択させる。
【００７９】
十字キー１２４によって関連づけたい音声ファイル／動画ファイルにカーソルが合わされた状態（図８ではv002.wavにカーソルが合った状態を例示）で、情報位置指定キー１２６が押下されると、ＣＰＵ２０は、カーソルの合わされた音声ファイル／動画ファイルとＬＣＤ１０２に表示されている静止画像データとを関連づける関連づけデータを作成する（Ｓ１４）。
【００８０】
関連づけデータの作成が完了すると、ＣＰＵ２０は、現在表示されている静止画像データが音声ファイル／動画ファイルと関連づけられたことを通知するアイコンｉをＬＣＤ１０２に表示する（Ｓ１５、図９参照）。関連づけの通知はアイコンの表示に限らず、音声処理部３４が所定のチャイム音のアナログ音声信号をスピーカ３７に出力して再生させるなどしてもよい。また、Ｓ１１において、選択表示された静止画像データがすでに音声ファイル／動画ファイルと関連づけられていれば、このステップＳ１１で関連づけの通知を行ってもよい。
【００８１】
以上説明した通り、本発明のカメラ１００では、任意に撮影した静止画像と、メモリカード２００に記憶しておいた音声／動画像データとを、所定の規則で自動的に、あるいはユーザ操作により手動で関連づけることができる。両者の関連づけは、ＣＰＵ２０の作成する関連づけデータによって規定される。関連づけデータはメモリカード２００に記憶されるため、可搬性を有し、後述するプリントサーバなどで読み出して利用することができる。関連づけデータは二次元コードで構成してもよい。
【００８２】
＜第２実施形態＞
上述したように、カメラ１００は関連づけデータを二次元コード化してメモリカード２００に記憶することもできる。この場合、さらに、静止画像データと関連づけられた音声／動画像データを保存した外部のコンテンツサーバへのアクセス先を示すデータを関連づけデータとともに二次元コード化してもよい。
【００８３】
図１０は第２実施形態に係るコンテンツ提供システムの全体構成図である。このシステムは、インターネットなどのネットワーク７００を介してコンテンツサーバ３００とプリントサーバ４００と携帯電話６００とが接続されて構成される。コンテンツサーバ３００は、予めメモリカード２００に格納された音声／動画像データをプリントサーバ４００を介して、あるいはカメラ１００から直接受け取り、所定の保存場所に保存する。
【００８４】
コンテンツサーバ３００における音声／動画像データの保存場所は、プリンタ５００によってプリントされたプリント物Ｐに印刷されたＱＲ（Quick Response）コードなどの二次元コードＸに埋め込まれており、携帯電話６００に備えられたコードリーダ６０１によって読み取ることができる。
【００８５】
携帯電話６００は、コードリーダ６０１で二次元コードＸから読み取った保存場所にアクセスしてコンテンツサーバ３００から音声／動画像データをダウンロードし、携帯電話６００で再生することができる。また、図示しないが、携帯電話６００は、カメラ１００の画像表示ＬＣＤ１０２等からなる画像再生系、音声処理部３４等からなる音声再生系と同様の構成を有している。
【００８６】
保存場所は、カメラ１００ごとに、あるいはカメラ１００のユーザごとに予め１又は複数規定されており、規定の保存場所を示す情報をそのまま二次元コードＸに埋め、かつ規定の保存場所に音声／動画像データを保存することで、第１実施形態のカメラ１００で設定した静止画像データと音声／動画像データの関連づけが保持される。
【００８７】
例えば、あるユーザについて規定の保存場所を示す情報を、予めメモリカード２００その他のリムーバブルメディアに格納しておき、コンテンツサーバ３００に実際に音声／動画像データを保存する際、規定の保存場所をＬＣＤ１０２などに表示してユーザが参照できるようにする。具体的には、あるユーザ「user1」が１コマ目の画像に関連づけて保存する音声／動画像データは「../user1/data001」、２コマ目の画像に関連づけて保存するデータは「../user1/data002」などの保存場所を規定したテキストデータをメモリカード２００に格納しておき、新たに音声／動画像データを保存する際には、メモリカード２００のテキストデータを参照して、操作部１２０から任意に指定される静止画像のコマ番号に対応する保存場所を表示する。指定されたコマ番号の静止画像もあわせて表示してもよい。こうすれば、表示された規定の保存場所の情報に従って音声／動画像データが保存され、二次元コードＸに埋め込まれた静止画像データと音声／動画像データの関連づけが保持される。
【００８８】
関連づけデータによる静止画像データと音声／動画像データの関連づけが損なわれなければ、保存場所を示す情報は、リアルタイムで作成してもよく、必ずしも予め規定しておく必要はない。例えば、カメラ１００に組み込まれたｉアプリ（登録商標）などのネットワーク対応アプリケーションから、所望の静止画像と関連づけたい音声／動画像データの保存場所の指定をリアルタイムでコンテンツサーバ３００に要求する。コンテンツサーバ３００は、この要求に応じ、保存場所を示したＵＲＬをカメラ１００にメールバックするなどして保存場所を通知し、ネットワーク対応アプリケーションは、通知された保存場所に音声／動画像データをアップロードし、かつ通知された保存場所を二次元コードＸに埋め込めばよい。
【００８９】
あるいは、ネットワーク対応アプリケーションによる実際のアップロードによって確定した保存場所を、その都度カメラ１００に通知し、かつ通知された保存場所を二次元コードＸに埋め込めばよい。
【００９０】
プリント物Ｐには静止画像データで示された静止画Ｉも印刷されている。静止画Ｉを示す静止画像データと二次元コードＸに埋め込まれた保存場所に保存されている音声／動画像データとは、関連づけデータで関連づけられている。プリントサーバ４００は、カメラ１００から取り出したメモリカード２００から静止画像データ、音声／動画像データ、関連づけデータを読み出し、ある関連づけデータによって関連づけられている静止画像データを示す静止画Ｉ、および該関連づけデータによって静止画Ｉと関連づけられている音声／動画像データの保存場所を埋め込んだ二次元コードＸをプリントするプリントデータを作成し、このプリントデータをプリンタ５００に出力する。
【００９１】
プリンタ５００は、プリントサーバ４００から出力されたプリントデータに従い、所定の印刷媒体Ｐに静止画Ｉと二次元コードＸを印刷する。静止画Ｉと二次元コードＸは同一の印刷媒体Ｐ上に印刷されることが好ましいが、同一面上（すなわち表面または裏面）に印刷する必然性はない。
【００９２】
なお、プリントサーバ４００およびプリンタ５００は、周知の店頭プリントシステムによって構成することができる。
【００９３】
図１１は本システムの動作の流れを示すフローチャートである。
【００９４】
まず、カメラ１００のユーザが、カメラ１００からメモリカード２００を取り出してプリントサーバ４００の設置場所（例えばプリントサービス店）に持参する。プリントサーバ４００は、メモリカード２００から静止画像データ、音声／動画像データ、関連づけデータを読み出す（Ｓ２１）。
【００９５】
プリントサーバ４００は、タッチパネルなどの各種操作手段によって、プリントしたい静止画像データの選択を受け付ける（Ｓ２２）。
【００９６】
静止画像データの選択が終了すると、プリントサーバ４００は、ある関連づけデータによって、選択された静止画像データと関連づけられた音声／動画像データをコンテンツサーバ３００にアップロードする。かつ、プリントサーバ４００は、選択された静止画像データで示される静止画Ｉ、および、ある関連づけデータによって、選択された静止画像データと関連づけられた音声／動画像データの保存先を示す情報を埋め込んだ二次元コードＸを印刷するプリントデータを作成し、このプリントデータをプリンタ５００に出力する（Ｓ２３）。
【００９７】
音声／動画像データの保存先は、コンテンツサーバ３００へのアップロードに応答してコンテンツサーバ３００からカメラ１００に返信し、カメラ１００が受信した保存先と関連づけ情報を合わせて二次元コード化するようにしてもよい。あるいは、予め割り当てられた保存先を示す情報をメモリカード２００に記憶させておき、単にカメラ１００がこれを二次元コード化するようにしてもよい。
【００９８】
なお、関連づけ情報と保存先の二次元コード化はカメラ１００が行ってもよいし、プリントサーバで行ってもよい。
【００９９】
プリンタ５００は、プリントサーバ４００からのプリントデータに基づき、静止画Ｉと二次元コードＸを印刷したプリント物Ｐを出力する（Ｓ２４）。プリント物Ｐはカメラ１００のユーザから、携帯電話６００のユーザに提供される。
【０１００】
携帯電話６００のコードリーダ６０１によってプリント物Ｐの二次元コードＸを読み取ると、携帯電話６００はネットワーク７００を介し、二次元コードＸで示されるコンテンツサーバ３００の保存場所にアクセスする。コンテンツサーバ３００は、携帯電話６００のアクセスに応じ、保存場所に保存された音声／動画像データを携帯電話６００に送信する（Ｓ２５）。
【０１０１】
携帯電話６００はコンテンツサーバ３００から受信した音声をスピーカに出力したり、あるいは動画像データをＲＧＢ信号に変換して液晶画面に出力することで再生する（Ｓ２６）。携帯電話６００のユーザはプリント物Ｐの静止画Ｉを鑑賞しながら、それと関連性のある音声／動画像データを携帯電話６００で鑑賞することができる。
【０１０２】
＜第３実施形態＞
カメラ１００がコードリーダ６０１を備えていれば、プリント物Ｐの二次元コードＸで示される関連づけ情報から、関連づけられた静止画像と音声／動画像データの双方を特定することができる。この場合、カメラ１００は、特定された静止画像と音声／動画像データを同期して再生することができる。
【０１０３】
こうすると、コンテンツサーバ３００、ネットワーク７００を用いることなく、プリント物Ｐの静止画Ｉを鑑賞しながら、それと関連性のある音声／動画像データをカメラ１００で同時に鑑賞することができる。このため、静止画Ｉと関係のある音声／動画像データをユーザがいちいち探し出す必要もなく、管理が非常に楽である。
【図面の簡単な説明】
【０１０４】
【図１】デジタルカメラの正面図
【図２】デジタルカメラの背面図
【図３】デジタルカメラのブロック構成図
【図４】自動関連づけ動作の流れを示すフローチャート
【図５】静止画像データと音声データとを関連づけの一例を示す図
【図６】関連づけデータの概念説明図
【図７】手動関連づけ動作の流れを示すフローチャート
【図８】静止画像とファイル名の一覧の表示例
【図９】静止画像データが音声ファイル／動画ファイルと関連づけられたことを通知するアイコンの表示例
【図１０】第２実施形態に係るコンテンツ提供システムの全体構成図
【図１１】コンテンツ提供システムの動作の流れを示すフローチャート
【符号の説明】
【０１０５】
１００：デジタルカメラ、３００：コンテンツサーバ、４００：プリントサーバ、５００：プリンタ、６００：携帯電話
【図１】
2007074266.tif 000003
【図２】
2007074266.tif 000004
【図３】
2007074266.tif 000005
【図４】
2007074266.tif 000006
【図５】
2007074266.tif 000007
【図６】
2007074266.tif 000008
【図７】
2007074266.tif 000009
【図８】
2007074266.tif 000010
【図９】
2007074266.tif 000011
【図１０】
2007074266.tif 000012
【図１１】
2007074266.tif 000013